(57)【要約】【課題】塗料に添加された骨材が滞留する可能性を低減できるロールコータを提供する。【解決手段】本発明によるロールコータは、塗料パン３と、塗料パン３の内側に配置され、骨材が添加された塗料１ａが内側に溜められている囲枠５と、囲枠５の内側で外周面の一部が塗料１ａに浸漬されたピックアップロール６とを備え、囲枠５は、ピックアップロール６の回転によりピックアップロール６の外周面が塗料１ａの液面から脱出する側に配置された出側壁５１を有しており、出側壁５１の下端５１ａと塗料パン３の底面３ａとの間に流路を形成するように出側壁５１が変位可能に構成されている。【選択図】図１
2018051482.tif 000002
【特許請求の範囲】
【請求項１】
塗料パンと、
前記塗料パンの内側に配置され、骨材が添加された塗料が内側に溜められている囲枠と、
前記囲枠の内側で外周面の一部が前記塗料に浸漬されたピックアップロールと
を備え、
前記囲枠は、前記ピックアップロールの回転により前記ピックアップロールの前記外周面が前記塗料の液面から脱出する側に配置された出側壁を有しており、
前記出側壁の下端と前記塗料パンの底面との間に流路を形成するように前記出側壁が変位可能に構成されている、
ロールコータ。
【請求項２】
前記囲枠は、前記ピックアップロールの側方に位置する一対の側壁をさらに有しており、
前記出側壁の上部は、前記一対の側壁に回動可能に支持されている
請求項１記載のロールコータ。
【請求項３】
塗料パンと、
前記塗料パンの内側に配置され、骨材が添加された塗料が内側に溜められている囲枠と、
前記囲枠の内側で外周面の一部が前記塗料に浸漬されたピックアップロールと
を備え、
前記囲枠は、前記ピックアップロールの回転により前記ピックアップロールの前記外周面が前記塗料の液面から脱出する側に配置された出側壁を有しており、
前記出側壁の下部に貫通孔が形成されている、
ロールコータ。
【請求項４】
前記囲枠の内側における前記出側壁と前記塗料パンの底面と間の角度が９０°よりも大きくされている、
請求項３記載のロールコータ。
【請求項５】
前記ピックアップロールの回転による前記塗料の流動によって前記塗料が前記出側壁を超えて前記塗料パンに溢れ出るように、前記囲枠内への単位時間当たりの前記塗料の供給量が制御される、
請求項１から請求項４までのいずれか一項に記載のロールコータ。
【請求項６】
前記ピックアップロールの軸方向の幅ＷＲに対する前記軸方向についての前記囲枠の幅ＷＳＦの比率が１０１％以下である、
請求項１から請求項５までのいずれか一項に記載のロールコータ。
【請求項７】
前記塗料に対する前記骨材の比重が１．１５以上である、
請求項１から請求項６までのいずれか一項に記載のロールコータ。
【請求項８】
前記囲枠は、前記ピックアップロールの側方に位置する一対の側壁を有しており、
前記出側壁は、前記側壁に対して着脱自在とされている、
請求項１から請求項７までのいずれか一項に記載のロールコータ。
【発明の詳細な説明】
【技術分野】
【０００１】
本発明は、塗料をピックアップロールで汲み上げるロールコータに関する。
【背景技術】
【０００２】
従来用いられていたこの種のロールコータとしては、例えば下記の特許文献１等に示されている構成を挙げることができる。すなわち、従来のロールコータでは、塗料パンの内側に囲枠を配置し、囲枠の内側でピックアップロールの外周面の一部を塗料に浸漬している。囲枠の入側壁とピックアップロールの外周面との間に塗料を上方から供給する一方で、囲枠の出側壁が囲枠の他の壁よりも低くされ、ピックアップロールの回転により囲枠内の塗料が出側壁を超えて塗料パンに流れ出るようにしている。このように構成されることにより、囲枠の入側壁側から出側壁側に向かう塗料の流れを形成し、ピックアップロールへの泡等の付着を低減している。
【先行技術文献】
【特許文献】
【０００３】
【特許文献１】特開平１０−２７２４１０号公報
【発明の概要】
【発明が解決しようとする課題】
【０００４】
上記のような従来のロールコータでは、囲枠の入側壁側から出側壁側に向かう塗料の流れを形成し、ピックアップロールに泡等の付着を低減している。しかしながら、例えばＡｌ粉末や雲母等の骨材が塗料に添加されているとき、囲枠の出側壁の下部に骨材が滞留することがある。この滞留した骨材が巻き上がりピックアップロールに付着すると、塗膜欠陥の原因となる。
【０００５】
本発明は、上記のような課題を解決するためになされたものであり、その目的は、塗料に添加された骨材が滞留する可能性を低減できるロールコータを提供することである。
【課題を解決するための手段】
【０００６】
本発明に係るロールコータは、塗料パンと、塗料パンの内側に配置され、骨材が添加された塗料が内側に溜められている囲枠と、囲枠の内側で外周面の一部が塗料に浸漬されたピックアップロールとを備え、囲枠は、ピックアップロールの回転によりピックアップロールの外周面が塗料の液面から脱出する側に配置された出側壁を有しており、出側壁の下端と塗料パンの底面との間に流路を形成するように出側壁が変位可能に構成されているか、又は出側壁の下部に貫通孔が形成されている。
【発明の効果】
【０００７】
本発明のロールコータによれば、出側壁の下端と塗料パンの底面との間に流路を形成するように出側壁が変位可能に構成されているか、又は出側壁の下部に貫通孔が形成されているので、出側壁の下部に塗料の流れを形成できる。これにより、塗料に添加された骨材が滞留する可能性を低減できる。
【図面の簡単な説明】
【０００８】
【図１】本発明の実施の形態１によるロールコータを示す斜視図である。
【図２】図１のロールコータを示す平面図である。
【図３】図２の線ＩＩ−ＩＩに沿う断面図である。
【図４】本発明の実施の形態２によるロールコータの要部の断面図である。
【発明を実施するための形態】
【０００９】
以下、本発明を実施するための形態について、図面を参照して説明する。
実施の形態１．
図１は本発明の実施の形態１によるロールコータを示す斜視図であり、図２は図１のロールコータを示す平面図であり、図３は図２の線ＩＩ−ＩＩに沿う断面図である。本実施の形態のロールコータは、図示しない塗装対象に塗料１ａを塗りつけるための装置である。塗装対象としては、例えば鋼帯等の金属板を挙げることができる。ロールコータには、塗料ドラム１、塗料パン３、囲枠５、ピックアップロール６及び仕切板７が設けられている。
【００１０】
塗料ドラム１には、塗装対象に塗りつける塗料１ａが溜められている。本実施の形態の塗料１ａは、例えばＡｌ粉末や雲母等の骨材が添加されたものである。塗料ドラム１内の塗料１ａは、図示しない供給手段によって囲枠５の内側に上方から供給される。
【００１１】
塗料パン３は、塗料１ａを受けるための受け皿である。本実施の形態のロールコータでは、囲枠５から流れ出た塗料１ａを塗料パン３が受ける。塗料パン３の底面３ａには囲枠５の外側に位置するように排出口３ｂが設けられており、塗料パン３が受けた塗料１ａは排出口３ｂから排出されて、塗料ドラム１に戻される。
【００１２】
囲枠５は、塗料パン３の内側に配置された平面視矩形の枠体である。塗料パン３の内側には、塗料ドラム１から供給された塗料１ａが溜められている。
【００１３】
ピックアップロール６は、外周面の一部が囲枠５の内側で塗料１ａに浸漬されたロールである。ピックアップロール６の回転により、ピックアップロール６の外周面に付着した塗料１ａが囲枠５から汲み上げられる。図示はしないが、ピックアップロール６の上方にはアプリケータロールが配置されている。アプリケータロールはその外周面がピックアップロール６の外周面に接するように配置されており、ピックアップロール６の外周面に付着した塗料１ａがアプリケータロールの外周面に転写されて、アプリケータロールを介して塗装対象に塗料１ａが塗りつけられる。なお、ピックアップロール６とアプリケータロールとの間に中間ロールが介在されていてもよい。
【００１４】
図３に示すように、ピックアップロール６の回転方向は、塗料ドラム１から囲枠５に塗料１ａが供給される側において囲枠５内の塗料１ａの液面に外周面が進入する方向とされている。囲枠５には、ピックアップロール６の外周面が塗料１ａの液面に進入する側に配置された入側壁５０、ピックアップロール６の外周面が塗料１ａの液面から脱出する側に配置された出側壁５１、及び入側壁５０と出側壁５１との間を接続する一対の側壁５２が設けられている。上述の回転方向にピックアップロール６が回転されることで、囲枠５内には入側壁５０側から出側壁５１側への塗料１ａの流れが形成される。
【００１５】
仕切板７は、囲枠５の入側壁５０とピックアップロール６との間に配置された板体である。仕切板７は、その下端７ａと塗料パン３の底面３ａとの間に空隙が形成されるように配置されている。また、仕切板７は、空隙の幅を調整することができるように上下動可能に構成されている。塗料ドラム１からの塗料１ａは、入側壁５０と仕切板７との間に上方から供給され、仕切板７の下方の空隙を通ってピックアップロール６側に向かう。これにより、入側壁５０と仕切板７との間で塗料１ａに泡が生じていたとしても、その泡がピックアップロール６側に向かうことを抑制できる。
【００１６】
ここで、囲枠５の出側壁５１は、出側壁５１の下端５１ａと塗料パン３の底面３ａとの間に流路を形成するように変位可能に構成されている。出側壁５１の全体が上下動して流路を形成してもよいが、本実施の形態のロールコータでは、出側壁５１の上部が側壁５２に回動可能に支持されており、出側壁５１の上部を中心に出側壁５１が回動されることで、出側壁５１の下端５１ａと塗料パン３の底面３ａとの間に流路が形成される。この流路が形成されることで、出側壁５１の下部から塗料パン３への塗料１ａの流れを形成でき、出側壁５１の下部に塗料１ａの骨材が滞留する可能性を低減できる。出側壁５１の下端５１ａと塗料パン３の底面３ａとの間に流路が形成されない場合、塗料１ａに対する骨材の比重が１．１５以上であるときに出側壁５１の下部に塗料１ａの骨材が滞留しやすいという問題が生じていた。すなわち、塗料１ａに対する骨材の比重が１．１５以上のとき、上述のように流路を形成することが特に有用である。
【００１７】
ピックアップロール６の回転による塗料１ａの流動によって塗料１ａが出側壁５１を超えて塗料パン３に溢れ出るように、囲枠５内への単位時間当たりの塗料１ａの供給量を制御することが好ましい。また、出側壁５１の高さを囲枠５の他の壁（入側壁５０及び側壁５２）よりも低くして、より確実に塗料１ａが出側壁５１を超えて塗料パン３へ溢れ出るようにすることがさらに好ましい。これらの構成を採ることで、囲枠５の入側壁５０側から出側壁５１側に向かった塗料１ａが入側壁５０側に戻ることを抑制できる。これにより、囲枠５内での塗料１ａの滞留を抑え、ピックアップロール６への泡等の付着を低減できる。
【００１８】
ピックアップロール６の側面と囲枠５の側壁５２との間の隙間は小さい方が好ましい。より具体的には、ピックアップロール６の軸方向の幅ＷＲに対するピックアップロール６の軸方向についての囲枠５の幅ＷＳＦの比率（＝ＷＳＦ／ＷＲ）が１０１％以下であることが好ましい。このような比率を採ることで、囲枠５の入側壁５０側から出側壁５１側に向かった塗料１ａがピックアップロール６の側面と囲枠５の側壁５２との間の隙間を通って入側壁５０側に戻ることをより確実に抑制でき、ピックアップロール６への泡等の付着をさらに低減できる。
【００１９】
上述のように出側壁５１の下端５１ａと塗料パン３の底面３ａとの間に流路が形成されることで、塗料１ａが入側壁５０側に戻ることをより確実に抑えることができる。特に、上述のように出側壁５１の上部を中心に出側壁５１が回動可能とされることで、出側壁５１の上端位置を実質的に変更せずに、出側壁５１の下部における流路の開度を調整できる。このように出側壁５１の上端位置が実質的に変更されないことで、より容易に囲枠５内の塗料１ａの液面レベルを保つことができる。ここで、塗料１ａへのピックアップロール６の浸漬深さは、ピックアップロール６への塗料１ａの付着量に関係するものであり、操業を安定させる観点から一定に保つことが好ましい。仮に塗料１ａの液面レベルが変わるとしたら、ピックアップロール６の浸漬深さを一定に保つためには、ピックアップロール６と塗料パン３とを相対的に変位させる必要がある。この相対的な変位により、ピックアップロール６と塗料パン３の底面３ａとの間の隙間が広がると、囲枠５の入側壁５０側から出側壁５１側に向かう塗料１ａの流れが弱まり、塗料１ａの滞留が生じる可能性が生じる。すなわち、本実施の形態の構成のように出側壁５１の上部を中心に出側壁５１が回動可能とされていることは、このような塗料１ａの滞留が生じる可能性を回避できることにも寄与する。
【００２０】
出側壁５１の上部を中心とする出側壁５１の回動は、出側壁５１の下端５１ａが入側壁５０から離れる方向への回動であってもよいが、図３において二点鎖線で示すように出側壁５１の下端５１ａが入側壁５０に近づく方向への回動が好ましい。換言すると、出側壁５１の回動は、囲枠５の内側における出側壁５１の延長面と塗料パン３の底面３ａと間の角度が９０°よりも大きくされる方向への回動が好ましい。この方向に回動されることで、出側壁５１の高さ方向の中間位置から上部への塗料１ａの流れを形成するように出側壁５１を傾斜させることができ、より確実に塗料１ａが出側壁５１を超えて塗料パン３へ溢れ出るようにすることができる。
【００２１】
なお、出側壁５１は、側壁５２に対して着脱自在とされている。製造条件によっては、側壁５２の間から出側壁５１を取り外した状態でロールコータを稼働させてもよい。
【００２２】
このようなロールコータでは、出側壁５１の下端５１ａと塗料パン３の底面３ａとの間に流路を形成するように出側壁５１が変位可能に構成されているので、出側壁５１の下部に塗料１ａの流れを形成できる。これにより、塗料１ａに添加された骨材が滞留する可能性を低減できる。この構成は、塗料に対する骨材の比重が１．１５以上であるときに特に有用である。
【００２３】
また、出側壁５１の上部が側壁５２に回動可能に支持されており、出側壁５１の上部を中心に出側壁５１が回動されることで、出側壁５１の下端５１ａと塗料パン３の底面３ａとの間に流路が形成されるので、塗料１ａに添加された骨材が滞留する可能性をより確実に低減できる。また、出側壁５１の上部を中心に出側壁５１が回動されることで、出側壁５１の上端位置が実質的に変更されず、より容易に囲枠５内の塗料１ａの液面レベルを保つことができる。
【００２４】
さらに、ピックアップロール６の回転による塗料１ａの流動によって塗料１ａが出側壁５１を超えて塗料パン３に溢れ出るように、囲枠５内への単位時間当たりの塗料１ａの供給量が制御されるので、囲枠５内での塗料１ａの滞留を抑え、ピックアップロール６への泡等の付着を低減できる。
【００２５】
さらにまた、ピックアップロール６の軸方向の幅ＷＲに対する軸方向についての囲枠５の幅ＷＳＦの比率が１０１％以下であるので、囲枠５の入側壁５０側から出側壁５１側に向かった塗料１ａがピックアップロール６の側面と囲枠５の側壁５２との間の隙間を通って入側壁５０側に戻ることをより確実に抑制でき、ピックアップロール６への泡等の付着をさらに低減できる。
【００２６】
また、出側壁５１が側壁５２に対して着脱自在とされているので、側壁５２の間から出側壁５１を取り外した状態でロールコータを稼働させることができる。
【００２７】
実施の形態２．
図４は、本発明の実施の形態２によるロールコータの要部の断面図である。実施の形態１では、囲枠５の出側壁５１を変位可能に構成し出側壁５１の下端５１ａと塗料パン３の底面３ａとの間に流路を形成することによって、出側壁５１の下部に塗料１ａの骨材が滞留する可能性を低減するように説明した。しかしながら、図４に示すように、出側壁５１の下部に貫通孔５１ｂを形成し、貫通孔５１ｂを通して出側壁５１の下部から塗料パン３への塗料１ａの流れを形成することによっても、出側壁５１の下部に塗料１ａの骨材が滞留する可能性を低減することができる。
【００２８】
本実施の形態の出側壁５１は、側壁５２に回動自在に取り付けられているか、側壁５２に回動不可能に取り付けられているか、又は側壁５２に固定されている。出側壁５１が側壁５２に固定されていない場合、出側壁５１が側壁５２に対して着脱自在とされていてよい。出側壁５１の回動が不可能な場合、囲枠５の内側における出側壁５１と塗料パン３の底面３ａと間の角度は任意であるが、囲枠５の内側における出側壁５１と塗料パン３の底面３ａと間の角度が９０°よりも大きくされていることが好ましい。このような角度とされることで、出側壁５１の高さ方向の中間位置から上部への塗料１ａの流れを形成することができ、より確実に塗料１ａが出側壁５１を超えて塗料パン３へ溢れ出るようにすることができる。その他の構成は、実施の形態１と同じである。
【００２９】
このようなロールコータでは、出側壁５１の下部に貫通孔５１ｂが形成されているので、実施の形態１の態様と同様に、出側壁５１の下部に塗料１ａの骨材が滞留する可能性を低減することができる。
【００３０】
また、囲枠５の内側における出側壁５１と塗料パン３の底面３ａと間の角度が９０°よりも大きくなるように塗料パン３の底面３ａに対して出側壁５１が固定されているので、より確実に塗料１ａが出側壁５１を超えて塗料パン３へ溢れ出るようにすることができる。
【符号の説明】
【００３１】
１ａ    塗料
３      塗料パン
３ａ    底面
５      囲枠
５１    出側壁
５１ａ  下端
５１ｂ  貫通孔
５２    側壁
【図１】
2018051482.tif 000003
【図２】
2018051482.tif 000004
【図３】
2018051482.tif 000005
【図４】
2018051482.tif 000006